(57)【特許請求の範囲】
【請求項１】
通信元装置と通信先装置を有し、照会サーバを介して、通信先装置を特定する通信先特定情報に基づいて通信元装置と通信先装置との通信コネクションを確立するシステムにおいて、
前記照会サーバは、
前記通信先装置に関連する情報であって、前記通信先特定情報以外の情報からなる表示情報と、当該表示情報に関連付けられた代替情報とが記録された代替情報格納部と、
前記表示情報を公開し、その公開された表示情報の取得要求を前記通信元装置から受付ける情報公開部と、
前記代替情報格納部から前記表示情報に関連付けられた代替情報を取得し、前記取得要求元の通信元装置に通知する代替情報通知部とを備え、
前記通信元装置は、
前記通信先特定情報が前記代替情報と対応付けられ、前記表示情報とは対応付けられていない変換情報を格納する変換情報格納部と、
前記代替情報通知部から通知された代替情報を前記変換情報を用いて前記通信先装置の通信先特定情報に変換する変換処理部とを備えることにより、前記表示情報と前記通信先特定情報とを異なる装置に分散配置したことを特徴とする、通信コネクション確立システム。
【請求項２】
通信元装置と通信先装置を有し、照会サーバを介して、通信先装置を特定する通信先特定情報に基づいて通信元装置と通信先装置との通信コネクションを確立するシステムにおいて、
前記照会サーバは、
前記通信先装置に関連する情報であって、前記通信先特定情報以外の情報からなる表示情報と、当該表示情報に関連付けられた代替情報とが記録された代替情報格納部と、
前記表示情報を公開し、その公開された表示情報の取得要求を前記通信元装置から受付ける情報公開部と、
前記代替情報格納部から前記表示情報に関連付けられた代替情報を取得し、前記取得要求元の通信元装置に通知する代替情報通知部とを備え、
前記通信元装置は、
前記通信先特定情報が前記代替情報と対応付けられ、前記表示情報とは対応付けられていない変換情報を格納する変換情報格納部と、
前記通信元システムがアクセス可能なネットワーク上に前記代替情報通知部から通知された代替情報を前記変換情報を用いて前記通信先装置の通信先特定情報に変換する変換処理部とを備えることにより、前記表示情報と前記通信先特定情報とを異なる装置に分散配置したことを特徴とする、通信コネクション確立システム。
【請求項３】
通信元装置と通信先装置を有し、照会サーバを介して、通信先装置を特定する通信先特定情報に基づいて通信元装置と通信先装置との通信コネクションを確立するシステムにおいて、
前記照会サーバは、
前記通信先装置に関連する情報であって、前記通信先特定情報以外の情報からなる表示情報と、当該表示情報に関連付けられた代替情報とが記録された代替情報格納部と、
前記表示情報を公開し、その公開された表示情報の取得要求を前記通信元装置から受付ける情報公開部と、
前記代替情報格納部から前記表示情報に関連付けられた代替情報を取得し、前記取得要求元の通信元装置に通知する代替情報通知部とを備え、
前記通信元装置は、
前記通信先特定情報が前記代替情報と対応付けられ、前記表示情報とは対応付けられていない変換情報を格納する変換情報格納部を備え、
ネットワーク上に前記通信元システムと前記通信先システム間の通信を中継する中継装置を備え、
前記中継装置が、
前記代替情報通知部から通知された代替情報を前記変換情報を用いて前記通信先装置の通信先特定情報に変換する変換処理部と、
前記変換した通信先特定情報を基に前記通信元システムと前記通信先システム間の通信を中継する中継部を備えることにより、前記表示情報と前記通信先特定情報とを異なる装置に分散配置したことを特徴とする、通信コネクション確立システム。
【請求項４】
通信元装置と通信先装置との通信コネクションを確立する方法において、
前記通信先装置に関連する情報であって、通信先特定情報以外の情報からなる表示情報と、当該表示情報に関連付けられた代替情報とが代替情報格納部に記録されており、
情報公開部により前記表示情報を公開し、その公開された表示情報の取得要求を前記通信元装置から受付け、
代替情報通知部により前記代替情報格納部から前記表示情報に関連付けられた代替情報を取得し、前記取得要求元の通信元装置に通知し、
前記通信元装置は、
前記通信先特定情報が前記代替情報と対応付けられ、前記表示情報とは対応付けられていない変換情報を変換情報格納部に格納しており、
変換処理部により前記代替情報通知部から通知された代替情報を前記変換情報を用いて前記通信先装置の通信先特定情報に変換することにより、前記表示情報と前記通信先特定情報とを異なる装置に分散配置したことを特徴とする、通信コネクション確立方法。
【請求項５】
通信元装置と通信先装置を有し、通信先装置を特定する通信先特定情報に基づいて通信元装置と通信先装置との通信コネクションを確立するシステムを構築する処理ステップをコンピュータに実行させるプログラムにおいて、
前記コンピュータに、
前記表示情報を公開し、その公開された表示情報の取得要求を前記通信元装置から受付ける情報公開ステップと、
前記通信先装置に関連する情報であって、前記通信先特定情報以外の情報からなる表示情報と、当該表示情報に関連付けられた代替情報とが記録された代替情報格納部から前記表示情報に関連付けられた代替情報を取得し、前記取得要求元の通信元装置に通知する代替情報通知ステップと、
前記代替情報通知ステップで通知された代替情報を、前記通信先特定情報が前記代替情報と対応付けられ、前記表示情報とは対応付けられていない変換情報を用いて前記通信先装置の通信先特定情報に変換する変換処理ステップと実行させることにより、前記表示情報と前記通信先特定情報とを異なる装置に分散配置したことを特徴とする、通信コネクション確立プログラム。
【請求項６】
通信先装置を特定する通信先特定情報に基づいて通信元装置と通信先装置との通信コネクションを確立するシステムにおける通信元装置であって、
前記通信先特定情報以外の情報からなり前記通信先装置に関連する情報を有する表示情報と、当該表示情報に関連付けられた代替情報とが記録された代替情報格納部と、前記表示情報を公開し、その公開された表示情報の取得要求を前記通信元装置から受付ける情報公開部と、前記代替情報格納部から前記表示情報に関連付けられた代替情報を取得し、前記取得要求元の通信元装置に通知する代替情報通知部とを備えた照会サーバから、前記代替情報を受信する受信部と、
前記通信先特定情報が前記代替情報と対応付けられ、前記表示情報とは対応付けられていない変換情報を格納する変換情報格納部と、
前記代替情報通知部から通知された代替情報を前記変換情報を用いて前記通信先装置の通信先特定情報に変換する変換処理部とを備えることにより、前記表示情報と前記通信先特定情報とを異なる装置に分散配置したことを特徴とする、通信コネクション確立システムにおける通信元装置。
【請求項７】
通信先装置を特定する通信先特定情報に基づいて通信元装置と通信先装置との通信コネクションを確立するシステムにおける変換処理装置であって、
前記通信先特定情報以外の情報からなり前記通信先装置に関連する情報を有する表示情報と、当該表示情報に関連付けられた代替情報とが記録された代替情報格納部と、前記表示情報を公開し、その公開された表示情報の取得要求を前記通信元装置から受付ける情報公開部と、前記代替情報格納部から前記表示情報に関連付けられた代替情報を取得し、前記取得要求元の通信元装置に通知する代替情報通知部とを備えた照会サーバから、前記通信元装置が受信した前記代替情報を、前記通信元装置から受信する受信部と、
前記通信先特定情報が前記代替情報と対応付けられ、前記表示情報とは対応付けられていない変換情報を格納する変換情報格納部と、
前記代替情報通知部から通知された代替情報を前記変換情報を用いて前記通信先装置の通信先特定情報に変換する変換処理部とを備えることにより、前記表示情報と前記通信先特定情報とを異なる装置に分散配置したことを特徴とする、通信コネクション確立システムにおける変換処理装置。
【発明の詳細な説明】
【０００１】
【発明の属する技術分野】
本発明は、インターネット電話システムなどにおいて、通信の際に必要となる通信先システムの電話番号、ＦＡＸ番号、メールアドレス、チャットシステムのハンドルネーム、接続先サーバ名などの通信先特定情報を隠蔽したまま、通信元システムから通信先システムへの通信コネクションの確立を支援する通信コネクション確立システムに関する。
【０００２】
【従来の技術】
近年、ＬＡＮの広帯域化等をはじめとするネットワーク技術の進歩と、パーソナルコンピュータの多機能化、ＣＰＵの高速化等をはじめとするコンピュータ技術の進歩に伴い、インターネット上のパーソナルコンピュータ間で音声データを高速に送受信することが可能となってきた。このインターネットを介した音声データ送受信システムは、インターネット電話システムやコンピュータテレフォニーと称されることが多い。従来の電話システムを用いた音声データの送受信に比べて料金が安いというメリットなどにより、ＩＰ網上のパーソナルコンピュータを用いたインターネット電話システム用のアプリケーションソフトが急速に市場で広がりつつある。
【０００３】
このインターネット電話システムのサービスとして、ワンクリック電話発信サービスが知られている。ワンクリック電話発信サービスとは、ワールドワイドウェブを利用してブラウザでホームページを閲覧している利用者が、ホームページ上に掲載された電話発信表示アイコンをクリックするだけで、表示先に対して自動的に電話発信を行うサービスである。このワンクリック電話発信サービスは、ウェブを利用したコールセンターやヘルプデスクのサービスを実現するための重要な要素技術として注目されている。また、ｉモードに代表されるブラウザ機能を有した携帯電話端末から、ウェブに記載された電話番号を選択し発呼ボタンを押すだけで通信相手側に発信を行うという発信支援サービスも広がりつつある。
【０００４】
このワンクリック電話発信サービスを実現するために、ホームページ上に電話発信表示アイコンを設け、ＨＴＭＬソースに電話番号やメールアドレスなどの通信先特定情報を書き込んでおく必要がある。
【０００５】
【発明が解決しようとする課題】
上記従来のワンクリック電話発信サービスは、利用者の電話発信のためのオペレーションを不要とする便利な機能であり、利用者の利便性向上が期待できる。しかし、従来のワンクリック電話発信サービスには以下の問題が知られている。
【０００６】
第１の問題は、セキュリティの低下やプライバシーの侵害が生じやすくなるという問題である。従来技術においてワンクリック電話発信サービスを実現するためには、ＨＴＭＬソースに電話番号やメールアドレスなどの通信先特定情報を書き込んでおく必要があるため、通信先特定情報をインターネット上に直接公開することとなってしまう。このように通信先特定情報をインターネット上に公開することは、プライバシー上の問題が生じ、悪意の利用者による盗用悪用の危険性も生じる。ＨＴＭＬの記述の工夫により、電話番号やメールアドレスなどの通信先特定情報をブラウザから直接閲覧できなくすることも可能であるが、依然、ＨＴＭＬソース上には電話番号そのものが記載されていることに変わりはなく、通信先特定情報が盗まれる危険性がある。
【０００７】
第２の問題は、悪意を持ったウェブサイトによる詐欺行為が可能であるという問題である。例えば、利用者がホームページ上の電話発信表示アイコンをクリックすれば、過大な課金が生じるサイトへ電話が発信されるように仕組んでおくことが可能である。この場合、ワンクリックにより電話発信をしてしまった利用者に対して過大な料金が請求されることとなり、実際にこのような事件が社会問題化している。また、利用者がホームページ上の電話発信表示アイコンをクリックすれば、全く無関係な電話番号に対して発信されるように仕組んでおくことも可能である。この場合、当該電話番号の持ち主は、不特定多数の知らない相手からの不要な電話を受けることとなる。
【０００８】
従来技術によるワンクリック電話発信サービスは、上記のような問題を抱えている。これらの問題は、ワールドワイドウェブ上で電話番号などの通信先特定情報が直接公開されており、盗用を防止する手段がなく、また、ワンクリック電話発信について何の制限も無いことに起因している。
【０００９】
本発明は、ワンクリック電話発信サービスにおける利用者の利便性という利点を維持しつつ、電話番号やメールアドレスなどの通信先特定情報を隠蔽したまま、所望の相手との間に通信コネクションを確立するシステムを提供することを目的とする。
【００１０】
また、本発明は、ワンクリック電話発信サービスにおける利用者の利便性という利点を維持しつつ、悪意のウェブサイトによる詐欺行為を防止し、正常な通信コネクションの確立のみが可能となるように発信制限ができる通信コネクション確立システムを提供することを目的とする。
【００１１】
【課題を解決するための手段】
上記目的を達成するために、本発明の第１の通信コネクション確立システムは、通信元システムが照会サーバから通信先システムに関する情報を得てネットワーク上に通信コネクションを確立するシステムにおいて、前記照会サーバが、通信先システムの通信先特定情報を隠蔽して当該通信先特定情報以外の情報のみを公開する情報公開部と、前記通信元システムから前記通信先システムの通信先特定情報の問い合わせを受け、通信先特定情報に関連付けられた代替情報を通知する代替情報通知部を備え、ネットワーク上または前記通信元システム内に、前記代替情報を前記通信先システムの通信先特定情報に変換する変換処理部を備えたことを特徴とする。
【００１２】
ここで通信先特定情報とは、通信の際に必要となる通信先システムの電話番号、ＦＡＸ番号、メールアドレス、チャットシステムのハンドルネーム、接続先サーバ名などの情報をいう。
【００１３】
上記構成により、通信先システムの通信先特定情報を通信元システムに対して隠蔽したまま通信コネクションの確立を行なうことができる。照会サーバは、通信先特定情報を隠蔽し、他の情報のみを公開するので、通信先特定情報が盗用されることはない。また、通信元システムは、変換処理部により代替情報から通信先システムの通信先特定情報を得ることができるので、当該通信先特定情報を基にして通信先システムとの通信コネクションを確立することができる。
【００１４】
なお、代替情報が暗号化された情報であり、変換処理部において代替情報を復号することによって通信先システムの通信先特定情報を得ることとすれば、通信先特定情報のセキュリティが向上する。
【００１５】
ここで、変換処理部における復号処理で用いる復号鍵情報が、照会サーバのアドレス情報であることが好ましい。
【００１６】
なぜならば、代替情報と、当該代替情報を通信元システムに照会した照会サーバのアドレス情報が対応し合い、変換処理部の復号処理アルゴリズムにより正しく復号されなければ、正しいアドレス情報を得ることができないこととなるからである。例えば、不正ウェブサイトが代替情報を不正に複製して照会サーバになりすましても、照会サーバのアドレス情報が合致しないこととなり、また、悪意のあるウェブサイトが自分のアドレス情報を用いて代替情報を暗号化して作成しても、変換処理部が備えた復号処理アルゴリズムと正しく対応するとは限らない。
【００１７】
次に、本発明の第２の通信コネクション確立システムは、通信元システムが照会サーバから通信先システムに関する情報を得てネットワーク上に通信コネクションを確立するシステムにおいて、前記照会サーバが、通信先システムの通信先特定情報を隠蔽して当該通信先特定情報以外の情報のみを公開する情報公開部と、通信元システムから前記通信先システムの通信先特定情報の問い合わせを受け、前記通信先特定情報に関連付けられた代替情報を通知する代替情報通知部を備え、ネットワーク上に前記通信元システムと前記通信先システム間の通信を中継する中継装置を備え、前記中継装置が、前記通信元システムから渡された前記代替情報を前記通信先システムの通信先特定情報に変換する変換部と、前記変換した通信先特定情報を基に前記通信先システムへの通信コネクションを確立し、通信を制御する通信制御部を備えたことを特徴とする。
【００１８】
上記構成により、中継装置により通信コネクションの確立と通信の中継が行われるので、通信先システムの通信先特定情報が通信元システムに直接知られることがない。さらに、通信先システムの通信先特定情報に対するセキュリティが向上する。
【００１９】
また、中継装置が、通信コネクション確立に先立ち、通信元システム、通信先システム、照会サーバの信用をチェックする機能を備えることにより、さらに本発明の通信コネクション確立システムのセキュリティが向上する。
【００２０】
次に、本発明の第３の通信コネクション確立システムは、通信元システムが照会サーバから通信先システムに関する情報を得てネットワーク上に通信コネクションを確立するシステムにおいて、前記照会サーバが、通信先システムの通信先特定情報を隠蔽して当該通信先特定情報以外の情報のみを公開する情報公開部と、通信元システムから前記通信先システムの通信先特定情報の問い合わせを受け、通信先特定情報を組み込んだ通信コネクション確立用ソフトウェアを送信する通信コネクション確立用ソフトウェア送信部を備え、前記通信元システムが、前記照会サーバから送信された通信コネクション確立用ソフトウェアを実行する通信コネクション確立用ソフトウェア実行環境を備え、前記通信コネクション確立用ソフトウェアを実行することにより前記通信先システムに対する通信コネクションを確立することを特徴とする。
【００２１】
上記構成により、通信先システムの通信先特定情報が組み込まれた通信コネクション確立ソフトウェアを通信元システムにダウンロードし、通信元システム内の通信コネクション確立ソフトウェア実行環境において当該ソフトウェアを実行し、自動的に通信先システムへの通信コネクションの確立を行なうことができる。
【００２２】
【発明の実施の形態】
本発明の通信コネクション確立システムの実施形態について説明する。
【００２３】
通信先特定情報とは通信の際に必要となる通信先システムの電話番号、ＦＡＸ番号、メールアドレス、チャットシステムのハンドルネーム、接続先サーバ名などの情報をいう。以下の実施形態では、通信先特定情報を電話番号とし、通信元システムと通信先システム間でコンピュータテレフォニーによる音声通信コネクションが確立される例を説明する。
【００２４】
（実施形態１）
本発明の実施形態１の通信コネクション確立システムは、通信元システムが照会サーバから通信先システムに関する情報を得てネットワーク上に通信コネクションを確立するシステムである。ここで、通信先システムの通信先特定情報は照会サーバにより直接公開されずに隠蔽されたまま、通信元システムにより通信コネクションが確立される。この実施形態では照会サーバが、通信先システムの通信先特定情報を隠蔽して当該通信先特定情報以外の情報のみを公開する。通信元システムは、通信コネクションを確立したい通信先システムの通信先特定情報を照会サーバに対して問い合わせ、照会サーバは通信先システムの通信先特定情報に代え、代替情報を通知する。通信元システムは代替情報を通信先システムの通信先特定情報に変換する変換処理部により通知された代替情報を通信先システムの通信先特定情報に変換し、当該通信先特定情報を基に通信先システムへの通信コネクションを確立する。
【００２５】
なお、変換処理部は、通信元システム内に存在しても良く、通信元システムからアクセス可能なネットワーク上に置かれていても良い。
【００２６】
図１は、本発明の実施形態１の通信コネクション確立システムの概略構成例を示す図である。図１の構成では通信元システムが変換処理部を自ら備えている。
【００２７】
１００が照会サーバ、２００が通信元システム、３００が通信先システムである。例えば、ワールドワイドウェブシステムにおいて、照会サーバ１００は通信先特定情報を照会するウェブサーバと位置づけられる。この例では通信先特定情報が電話番号であるので、事業者電話番号案内サイト、個人電話番号案内サイト、出会い系サイトなど、電話番号を照会するサーバである。通信元システム２００は照会サーバ１００が公開している情報を閲覧するウェブクライアントシステムと位置づけられ、通信先システム３００は照会サーバ１００により照会を受ける者の利用システムと位置づけられる。
【００２８】
照会サーバ１００は、情報公開部１１０、代替情報通知部１２０を備えている。
【００２９】
情報公開部１１０は、通信先システム３００の通信先特定情報を隠蔽して、他の情報のみを公開する部分である。公開する情報はシステムの運用によるが、例えば、システム名などシステムを特定する情報（例えば“ｍｏｒｉｎａｇａ”）やその他属性情報の公開が想定される。システムを特定する情報に加えて通信先特定情報に関連付けられた代替情報（例えば“ＡＢＣ”）を公開しても良い。ここで、通信先特定情報を隠蔽するレベルは複数想定できる。第1のレベルはワールドワイドウェブクライアントのブラウザ上に通信先システム３００の通信先特定情報が直接表示されないようにＨＴＭＬを記述するレベルである。第２のレベルはＨＴＭＬソース自体に通信先特定情報を含めないレベルである。後者の方が通信先特定情報の隠蔽の度合いが高くなり、セキュリティが向上する。
【００３０】
ここで、代替情報は、一定の変換ルールで通信先特定情報と関連付けられた情報であり、この一定の変換ルールは後述する通信元システム２００内またはネットワーク上に存在する変換処理部２４０に既知のものである必要がある。この一定の変換ルールは特に限定されない。例えば、文字列を選択して通信先特定情報と対応づけたものでも良い。この場合、変換処理部２４０はその対応関係をリストとして保持する。本実施形態１の説明では、変換ルールとして文字列と通信先特定情報と対応づけるものを採用する。
【００３１】
代替情報通知部１２０は、通信元システム２００から通信先システム３００の通信先特定情報の問い合わせを受け、対応する代替情報を通知する部分である。
【００３２】
通信元システム２００は、ユーザインタフェース２１０、情報検索部２２０、代替情報取得部２３０、変換処理部２４０、通信制御部２５０を備えている。
【００３３】
ユーザインタフェース２１０は、ユーザに対する入出力インタフェースを提供する部分であり、表示装置、キーボード、ポインティングデバイスなどのハードウェアおよびそれらのドライバソフトなどのソフトウェアを備えている。
【００３４】
情報検索部２２０は、ネットワークを介して照会サーバ１００にアクセスし、照会サーバ１００がネット上に公開している情報を検索する部分である。例えば、ワールドワイドウェブのブラウザ機能を備えている。
【００３５】
代替情報取得部２３０は、照会サーバ１００に対して所望の通信先システムの通信先特定情報を問い合わせ、その回答を受け取る部分である。
【００３６】
変換処理部２４０は、代替情報取得部２３０が取得した通信先システム３００の代替情報を通信先システム３００の通信先特定情報に変換する部分である。変換方法は、代替情報と通信先特定情報の関係により決まる。この例では、代替情報と通信先特定情報の対応を示す変換リストを備え、入力された代替情報に対応する通信先特定情報を得るものである。変換リストはあらかじめ通信元システム２００の変換処理部２４０に保持されているものとする。保持していない場合は何らかの方法で変換リストの配布を受ける必要がある。
【００３７】
通信制御部２５０は、変換処理部２４０により得た通信先システム３００の通信先特定情報を基に、通信先システム３００に対する通信コネクションを確立し、通信を制御する部分である。
【００３８】
次に、通信元システム２００と通信先システム３００との間に通信コネクションが確立されるまでの流れを図２のフローチャートに示す。
【００３９】
通信元システム２００の利用者は、ユーザインタフェース２１０を介して情報検索部２２０を操作して照会サーバ１００にアクセスし、照会サーバ１００が公開している情報を検索、閲覧する（ステップＳ２０１）。ここでは、照会サーバ１００が照会可能なシステムに関し、システム名や各種属性情報など、通信先特定情報以外の情報が表示されている。
【００４０】
利用者は、情報検索の結果、通信を行ないたい相手が見つかるとユーザインタフェース２１０を介して発信指示を出す。発信指示を受け、情報検索部２２０は照会サーバ１００に対して通信先システム３００の通信先特定情報を問い合わせる（ステップＳ２０２）。ここでは、“ｍｏｒｉｎａｇａ”システムに対する通信先特定情報が問い合わされたものとする。
【００４１】
照会サーバ１００は、通信元システム２００から通信先システム３００の通信先特定情報の問い合わせを受けると、その回答として、問い合わせのあった通信先システム３００の通信先特定情報に対応する代替情報を検索し、通信元システム２００に通知する（ステップＳ２０３）。ここで、代替情報通知部１２０は図３（ａ）に示す代替情報リストを保持しており、代替情報リストから該当する代替情報を検索して通知する。ここでは、“ｍｏｒｉｎａｇａ”に対応する代替情報“ＡＢＣ”が通信元システム２００に通知される。
【００４２】
ここで、代替情報のみが通信元システム２００に渡されることとなり、通信元システム２００の利用者は通信先システム３００の通信先特定情報である電話番号を直接知ることはできない。例えば、通信先システム３００の電話番号が“０７８−１２３−４５６７”であり、その代替情報が“ＡＢＣ”であれば、代替情報“ＡＢＣ”のみが通信元システムに知られ、電話番号“０７８−１２３−４５６７”は隠蔽されることとなる。
【００４３】
代替情報取得部２３０により代替情報を受けた通信元システム２００は、この代替情報を変換処理部２４０に渡し、所望の通信先システム３００の通信先特定情報に変換する（ステップＳ２０４）。
【００４４】
ここで、変換処理部２４０は図３（ｂ）に示す変換リストを保持している。図３の変換リストは、左欄が代替情報欄、右欄が対応する通信先特定情報欄である。いま、代替情報欄において“ＡＢＣ”を検索し、対応する通信先特定情報欄を求めると通信先システム３００の通信先特定情報である電話番号“０７８−１２３−４５６７”が得られる。
【００４５】
変換処理部２４０は変換して得られた通信先システム３００の通信先特定情報を通信制御部２５０に渡し、通信制御部２５０が通信先システム３００に対する通信コネクションを確立する（ステップＳ２０５）。ここでは、電話番号“０７８−１２３−４５６７”を基に電話が自動発信され、通信システム３００との間にＶｏＩＰ（Voice over IP）やインターネット電話による通信コネクションが確立される。
【００４６】
ここで、セキュリティを高めるため、変換処理部２４０の保持する変換リストのデータが通信元システム２００の利用者には直接見られないように制御することが好ましい。また、通信制御部２５０は、通信相手の電話番号が利用者に直接見られないように制御することが好ましい。
【００４７】
以上が、通信元システム２００と通信先システム３００との間に通信コネクションが確立されるまでの流れの一例である。
【００４８】
図４は、本発明の実施形態１の通信コネクション確立システムの他の概略構成例を示す図である。図４の構成では、変換処理部２４０ａが通信元システム２００ａ内になく、ネットワーク上にあり、通信元システム２００ａからアクセス可能な状態となっている。
【００４９】
代替情報取得部２３０を介して取得された代替情報“ＡＢＣ”はネットワークを介して変換処理部２４０ａに送られ、変換処理部２４０ａは受け取った代替情報“ＡＢＣ”を通信先特定情報“０７８−１２３−４５６７”に変換して通信元システム２００ａに返す。通信元システム２００ａは受け取った通信先特定情報を基に通信制御部２５０により通信先システム３００に対する通信コネクションを確立する。
【００５０】
なお、通信元システム２００ａが、ネットワークを介して変換処理部２４０ａにアクセスする以外の処理の流れは、上記実施形態と同様で良いのでここでの説明は省略する。
【００５１】
以上、本実施形態１に示した通信コネクション確立システムによれば、公開されるものは代替情報であり、通信先システムの通信先特定情報を通信元システムに対して隠蔽したまま通信コネクションを確立することができる。
【００５２】
（実施形態２）
本発明の実施形態２の通信コネクション確立システムは、代替情報と通信先特定情報の変換ルールとして暗号方式を用いたものである。例えば、ＤＥＳなどの暗号化アルゴリズムを用いる。照会サーバの代替情報通知部の通知する代替情報が暗号化された情報であり、通信元システムの変換処理部は復号化アルゴリズムおよび復号鍵情報を保持しており、代替情報を復号することによって通信先システムの通信先特定情報を得る。
【００５３】
図５は、実施形態２の通信コネクション確立システムの概略構成を示す図である。
【００５４】
照会サーバ１００ｂは、図１の照会サーバ１００の構成と同様であるが、本実施形態２では、代替情報が暗号化されたものとなっている。この例では、通信先システム３００の通信先特定情報である電話番号が所定の暗号化アルゴリズム、例えば、ＤＥＳ方式により暗号化されている。代替情報通知部１２０ｂは、所定の暗号化アルゴリズムで暗号化された代替情報を通知する。また、代替情報通知部１２０ｂは、暗号化された代替情報を復号化するための復号鍵情報も通知する。
【００５５】
ここで、復号鍵情報は、通信元システム２００ｂに対して安全に配送される必要がある。復号鍵情報の配送にあたり、通信元システム２００ｂの信用をチェックし、公開鍵暗号方式による鍵配送などセキュリティを確保することが好ましい。鍵配送のタイミングは、照会処理の前にあらかじめ配送しておいても良いし、代替情報通知部１２０ｂが代替情報を通信元システム２００ｂに通知する際に併せて配送しても良い。
【００５６】
通信元システム２００ｂは、図１の通信元システム２００の構成と同様で良いが、本実施形態２では、変換処理部２４０ｂが、照会サーバ１００ｂが採用している暗号方式に対応した復号モジュール２４１を備え、復号モジュール２４１は復号化アルゴリズムを備えている。この例では、照会サーバ１００ｂが用いたＤＥＳ方式に対応した復号化アルゴリズムを備えている。
【００５７】
照会サーバ１００ｂにおける代替情報の暗号化処理と、通信元システム２００ｂにおける復号化処理以外の処理の流れについては、実施形態１で説明した図２のフローチャートと同様であり、ここでの説明は省略する。
【００５８】
なお、本実施形態２の構成として示した図５の構成は通信元システムが変換処理部を内蔵する構成であるが、実施形態１の図４のように、変換処理部がネットワーク上に配置された構成でも良い。
【００５９】
（実施形態３）
本発明の実施形態３の通信コネクション確立システムは、代替情報と通信先特定情報の変換ルールとして暗号方式を用いた点は実施形態２と同様であるが、復号鍵情報として照会サーバ自身のＵＲＬアドレスを用いるものである。照会サーバ自身のＵＲＬアドレスを復号鍵として用いるため、悪意のウェブサイトによる、正規の照会サーバの「なりすまし」を防止することができる。
【００６０】
図６は、実施形態３の通信コネクション確立システムの概略構成を示す図である。
【００６１】
照会サーバ１００ｃは、実施形態２の１００ｂの構成と同様で良いが、本実施形態３では、代替情報が暗号化されたものとなっており、その復号鍵が照会サーバ１００ｃのＵＲＬアドレスを使用して生成する。なお、用いる暗号方式が任意のビット長ではなく特定のビット長に制限されたデータを復号鍵として用いる場合は、ＵＲＬアドレスに基づいて当該ビット長のデータを生成して復号鍵とする。この例では、通信先システム３００の通信先特定情報である電話番号がＤＥＳ方式により暗号化されており、復号鍵情報は、照会サーバ１００ｃのＵＲＬアドレス（www.fj.com）の文字列に基づいて、ＭＤ５等のハッシュ関数を用いて１２８ビットのハッシュ値として生成される。
【００６２】
通信元システム２００ｃは、実施形態２の通信元システム２００ｂの構成と同様で良いが、本実施形態３では、復号鍵情報が照会サーバ１００ｃのＵＲＬアドレスより生成されたデータであり、その鍵配送のタイミングは、照会サーバ１００ｃの代替情報通知部１２０が代替情報を通信元システム２００ｃに通知する際に併せて配送する方式とする。
【００６３】
照会サーバ１００ｃのＵＲＬを復号鍵情報として用いることにより以下の効果が得られる。照会サーバ１００ｃが通信元システム２００ｃに代替情報と復号鍵情報を通知する時点において、代替情報と照会サーバ１００ｃのＵＲＬアドレスの両者が真正で対応し合うものでなければ、通信元システム２００ｃにおいて代替情報を正しく復号できないこととなる。このことから、悪意のウェブサイトが正規の照会サーバのデータを盗用してコピーし、照会サーバに成りすましたとしても、通知する代替情報と悪意のウェブサイトのＵＲＬアドレスが正しく対応せず、通信コネクションを確立することができないこととなる。このように、善意の通信元システム２００ｃによる誤った通信コネクションの確立を防止することができる。
【００６４】
なお、復号鍵情報として照会サーバ１００ｃのＵＲＬアドレスを用いた処理以外の部分の処理の流れについては、実施形態１または実施形態２で説明したものと同様であり、ここでの説明は省略する。
【００６５】
（実施形態４）
本発明の実施形態４の通信コネクション確立システムは、ネットワーク上に前記通信元システムと前記通信先システム間の通信を中継する中継装置を備え、中継装置が通信元システムから通信先システムへの通信コネクションを確立し、両者間の通信を仲介するシステムである。
【００６６】
図７は、実施形態４の通信コネクション確立システムの概略構成を示す図である。
【００６７】
照会サーバ１００ｄは、実施形態１の照会サーバ１００と同様の構成で良い。
【００６８】
通信元システム２００ｄは、ユーザインタフェース２１０、情報検索部２２０、代替情報取得部２３０、通信制御部２５０、中継依頼部２６０を備えている。変換処理部は通信元システム２００ｄ内部に持たない。
【００６９】
情報検索部２２０と代替情報取得部２３０の働きは実施形態１と同様であるので、ここでの説明は省略する。
【００７０】
中継依頼部２６０は、中継装置４００に対して、通信先システム３００までの通信コネクション確立と、通信の中継を依頼する部分である。
【００７１】
本実施形態４の通信コネクション確立システムは、通信元システム２００ｄが、通信コネクション確立と通信の中継を中継装置に依頼し、自らは通信先システムへの自動発信を行なわない。このことにより、照会サーバ１００ｄへの情報検索から通信先システム３００への通信コネクション確立まで、一切、通信先システムの通信先特定情報を持つ機会がなくなり、通信先特定情報の隠蔽性がさらに高まることとなる。
【００７２】
なお、中継依頼部２６０は、中継装置４００に対する通信コネクション確立と通信の中継にあたり、代替情報を中継装置４００に渡すこととなる。
【００７３】
中継装置４００は、変換処理部４１０と中継部４２０を備えている。
【００７４】
変換処理部４１０は、実施形態１において、通信元システム２００ａからアクセス可能な状態で、ネットワーク上に設けられた変換処理部２４０ａと同様のものである。通信元システム２００ｄから中継依頼として渡された代替情報“ＡＢＣ”を変換して通信先システム３００の通信先特定情報“０７８−１２３−４５６７”を得る。
【００７５】
中継部４２０は、変換処理部４１０により得た通信先特定情報を基に通信先システム３００に対して自動発信し、通信コネクションを確立する部分である。また、この図７の例では、通信元システム２００ｄとの間にも通信コネクションを確立し、通信元システム２００ｄとの通信先システム３００間の通信を中継する形となっている。
【００７６】
以上、上記構成により、中継装置が、通信元システムと通信先システム間の通信コネクション確立と通信を中継するので、通信元システムは、一切、通信先システムの通信先特定情報を知り得る機会がなくなり、通信先システムの通信先特定情報の隠蔽性がさらに高まることとなる。
【００７７】
次に、中継装置を用いた他の構成例を説明する。図８は、実施形態４の通信コネクション確立システムの他の概略構成を示す図である。
【００７８】
照会サーバ１００ｅ、通信元システム２００ｅの構成は、図７の照会サーバ１００ｄ、通信元システム２００ｄと同様であるが、中継装置４００ｅの中継部４２０ｅの働きが異なっている。また、通信先システム３００ｅの働きも異なっている。
【００７９】
通信先システム２００ｅによる照会サーバ１００ｅの情報検索処理、通信先システム２００ｅの問い合わせによる代替情報の取得処理、通信先システム２００ｅによる中継装置４００ｅへの中継依頼処理、中継装置４００ｅの変換処理部４１０による代替情報の変換処理は、上記と同様であるので、ここでの説明は省略する。
【００８０】
中継装置４００ｅの中継部４２０ｅは、変換された通信先特定情報を受け取ると、通信先システム３００ｅに対して、通信元システム２００ｅに対して通信コネクションを確立し、通信を行なうように依頼する。依頼情報の一つとして通信元システム２００ｅの通信先特定情報を送信する。
【００８１】
中継装置４００ｅから依頼を受けた通信先システム３００ｅは、依頼情報として渡された通信元システム２００ｅの通信先特定情報を基に、通信元システム２００ｅに対して通信コネクションを確立し、通信を行なう。
【００８２】
以上、上記構成により、中継装置の仲介により、通信先システムから通信元システムへの自動発信によって通信コネクションが確立されるので、通信元システムは、一切、通信先システムの通信先特定情報を知り得る機会がなくなり、通信先システムの通信先特定情報の隠蔽性が高まることとなる。
【００８３】
（実施形態５）
実施形態５の通信コネクション確立システムは、通信先システムの通信先特定情報が固定された通信コネクション確立用ソフトウェアを動的にダウンロードし、通信元システムから自動発信するものである。
【００８４】
図９は、実施形態５の通信コネクション確立システムの概略構成を示す図である。
【００８５】
照会サーバ１００ｆは、情報公開部１１０、通信コネクション確立ソフトウェア格納部１３０、通信コネクション確立ソフトウェア送信部１４０を備えている。
【００８６】
情報公開部１１０は、実施形態１で説明したものと同様でありここでの説明は省略する。
【００８７】
実施形態５の通信コネクション確立システムでは、代替情報通知部１２０に代え、通信コネクション確立ソフトウェア格納部１３０と通信コネクション確立ソフトウェア送信部１４０を備えている。
【００８８】
通信コネクション確立ソフトウェア格納部１３０は、通信先特定情報が組み込まれた通信コネクション確立ソフトウェアを格納している部分であり、このソフトウェアは、通信元システム２００ｆで動作可能なソフトウェアモジュールとして記述されているものとする。
【００８９】
通信コネクション確立ソフトウェア送信部１４０は、通信元システム２００ｆからの通信先システム情報の問い合わせを受け、通信先システムの通信先特定情報が組み込まれた通信コネクション確立ソフトウェアを通信コネクション確立ソフトウェア格納部１３０から取り出して、通信元システム２００ｆに対して送信する部分である。
【００９０】
通信元システム２００ｆは、ユーザインタフェース２１０、情報検索部２２０、代替情報取得部２３０、通信制御部２５０に加え、通信コネクション確立ソフトウェア実行環境２７０を備えている。
【００９１】
ユーザインタフェース２１０と情報検索部２２０と代替情報取得部２３０は、実施形態１で説明したものと同様であるのでここでの説明は省略する。
【００９２】
通信コネクション確立ソフトウェア実行環境２７０は、照会サーバ１００ｆからダウンロードした通信コネクション確立ソフトウェアを実行する環境である。
【００９３】
なお、この通信コネクション確立ソフトウェアの実行技術として、Ｊａｖａ(Ｒ)など中間言語を用いる技術等を適用することが好ましい。この技術は、クライアントシステム側に中間言語型のソフトウェアモジュールを解釈して動作する仮想マシンを用意し、必要なときだけ必要に応じて、中間言語型のソフトウェアモジュールを動的にサーバからダウンロードして動作させる技術である。インターネットなどのオープンな動作環境において好ましく、また、ソフトウェアモジュールの容量が小さいものとなるので、ネットワークで高速にダウンロードできる点でも好ましい。通信コネクション確立ソフトウェアが中間言語で記述され、通信コネクション確立ソフトウェア実行環境２７０がこの中間言語を実行する仮想マシンの実行環境であれば良い。また、中間言語型に限らず、Ａｃｔｉｖｅ−Ｘ等の技術を使用しても同様に実現することが可能である。
【００９４】
通信コネクション確立ソフトウェア実行環境２７０において、通信コネクション確立ソフトウェアが実行されることにより、通信制御部２５０を介して、通信先システム３００への通信コネクションの確立が行われる。
【００９５】
上記構成によれば、通信先システムの通信先特定情報が組み込まれた通信コネクション確立ソフトウェアがダウンロードされ、通信元システムの通信コネクション確立ソフトウェア実行環境２７０において自動的に通信先システムへの通信コネクションの確立が行なわれるので、通信元システムの利用者が直接通信先システムの通信先特定情報を知ることはなく、通信先特定情報の隠蔽性が保たれる。
【００９６】
（実施形態６）
本発明の通信コネクション確立システムは、上記に説明した構成を実現する処理ステップを記述したプログラムを提供し、コンピュータにインストールすることにより構築することができる。本発明の通信コネクション確立システムを実現する処理ステップを備えたプログラムは、図１０に図示した記録媒体の例に示すように、ＣＤ−ＲＯＭ１００２やフレキシブルディスク１００３等の可搬型記録媒体１００１だけでなく、ネットワーク上にある記録装置内の記録媒体１０００や、コンピュータのハードディスクやＲＡＭ等の記録媒体１００５などに記録して提供することができ、さらには、ネットワークを通じてダウンロードすることも可能である。当該プログラムは、実行時にはコンピュータ１００４上にローディングされ、実行される。
【００９７】
本発明の通信先特定情報を隠蔽した通信コネクション確立システムおよび方法について以下の項を開示する。
【００９８】
（付記１）  通信元システムが照会サーバから通信先システムに関する情報を得てネットワーク上に通信コネクションを確立するシステムにおいて、
前記照会サーバが、通信先システムの通信先特定情報を隠蔽して当該通信先特定情報以外の情報のみを公開する情報公開部と、前記通信元システムから前記通信先システムの通信先特定情報の問い合わせを受け、当該通信先特定情報に関連付けられた代替情報を通知する代替情報通知部を備え、
前記通信元システムが、前記代替情報を前記通信先システムの通信先特定情報に変換する変換処理部を備えたことを特徴とする通信コネクション確立システム。
【００９９】
（付記２）  通信元システムが照会サーバから通信先システムに関する情報を得てネットワーク上に通信コネクションを確立するシステムにおいて、
前記照会サーバが、通信先システムの通信先特定情報を隠蔽して当該通信先特定情報以外の情報のみを公開する情報公開部と、前記通信元システムから前記通信先システムの通信先特定情報の問い合わせを受け、当該通信先特定情報に関連付けられた代替情報を通知する代替情報通知部を備え、
前記通信元システムがアクセス可能なネットワーク上に前記代替情報を前記通信先システムの通信先特定情報に変換する変換処理部を備えたことを特徴とする通信コネクション確立システム。
【０１００】
（付記３）  通信元システムが照会サーバから通信先システムに関する情報を得てネットワーク上に通信コネクションを確立するシステムにおいて、
前記照会サーバが、通信先システムの通信先特定情報を隠蔽して当該通信先特定情報以外の情報のみを公開する情報公開部と、通信元システムから前記通信先システムの通信先特定情報の問い合わせを受け、当該通信先特定情報に関連付けられた代替情報を通知する代替情報通知部を備え、
ネットワーク上に前記通信元システムと前記通信先システム間の通信を中継する中継装置を備え、
前記中継装置が、前記通信元システムから渡された前記代替情報を前記通信先システムの通信先特定情報に変換する変換処理部と、前記変換した通信先特定情報を基に前記通信元システムと前記通信先システム間の通信を中継する中継部を備えたことを特徴とする通信コネクション確立システム。
【０１０１】
（付記４）  前記代替情報が暗号化された情報であり、前記変換処理部において、前記代替情報を復号することによって前記通信先システムの通信先特定情報を得る付記１から３のいずれかに記載の通信コネクション確立システム。
【０１０２】
（付記５）前記変換処理部における復号処理で用いる復号鍵情報が、前記照会サーバのアドレス情報である付記４に記載の通信コネクション確立システム。
【０１０３】
（付記６）  通信元システムが照会サーバから通信先システムに関する情報を得てネットワーク上に通信コネクションを確立するシステムにおいて、
前記照会サーバが、通信先システムの通信先特定情報を隠蔽して当該通信先特定情報以外の情報のみを公開する情報公開部と、通信元システムから前記通信先システムの通信先特定情報の問い合わせを受け、通信先特定情報を組み込んだ通信コネクション確立用ソフトウェアを送信する通信コネクション確立用ソフトウェア送信部を備え、
前記通信元システムが、前記照会サーバから送信された通信コネクション確立用ソフトウェアを実行する通信コネクション確立用ソフトウェア実行環境を備え、前記通信コネクション確立用ソフトウェアを実行することにより前記通信先システムに対する通信コネクションを確立することを特徴とする通信コネクション確立システム。
【０１０４】
（付記７）  通信元システムが照会サーバから通信先システムに関する情報を得てネットワーク上に通信コネクションを確立する方法であって、
前記照会サーバが、通信先システムの通信先特定情報を隠蔽して当該通信先特定情報に関連付けられた代替情報のみを公開し、通信元システムから前記通信先システムの通信先特定情報の問い合わせを受けた場合、前記代替情報を通知し、
前記通信元システムが、前記代替情報を前記通信先システムの通信先特定情報に変換することを特徴とする通信コネクション確立方法。
【０１０５】
（付記８）  通信元システムが照会サーバから通信先システムに関する情報を得てネットワーク上に通信コネクションを確立する方法であって、
前記照会サーバが、通信先システムの通信先特定情報を隠蔽して当該通信先特定情報に関連付けられた代替情報のみを公開し、通信元システムから前記通信先システムの通信先特定情報の問い合わせを受けた場合、前記代替情報を通知し、
ネットワーク上に前記通信元システムと前記通信先システム間の通信を中継する中継装置を設け、前記中継装置により、前記通信元システムから渡された前記代替情報を前記通信先システムの通信先特定情報に変換し、前記変換した通信先特定情報を基に前記通信元システムと前記通信先システム間の通信を中継することを特徴とする通信コネクション確立方法。
【０１０６】
（付記９）  通信先システムの通信先特定情報を隠蔽したまま、通信元システムから通信先システムへの通信コネクションを確立する通信コネクション確立システムを構築する処理ステップを備えたプログラムであって、
前記通信先システムの通信先特定情報を隠蔽して当該通信先特定情報に関連付けられた代替情報のみを公開する通信先特定情報隠蔽処理ステップと、前記通信元システムから前記通信先システムの通信先特定情報の問い合わせを受け、前記代替情報を通知する代替情報通知処理ステップを備えた照会サーバプログラムと、
前記代替情報を前記通信先システムの通信先特定情報に変換する変換処理ステップを備えた変換処理プログラムを備えたことを特徴とするプログラム。
【０１０７】
（付記１０）  通信先システムの通信先特定情報を隠蔽したまま、通信元システムから通信先システムへの通信コネクションを確立する通信コネクション確立システムを構築する処理ステップを備えたプログラムであって、
前記通信先システムの通信先特定情報を隠蔽して当該通信先特定情報に関連付けられた代替情報のみを公開する通信先特定情報隠蔽処理ステップと、前記通信元システムから前記通信先システムの通信先特定情報の問い合わせを受け、前記代替情報を通知する代替情報通知処理ステップを備えた照会サーバプログラムと、
前記通信元システムからの発信中継依頼を受け、前記通信元システムから渡された前記代替情報を前記通信先システムの通信先特定情報に変換する変換処理ステップと、前記変換した通信先特定情報を基に前記通信元システムと前記通信先システム間の通信を制御する通信制御処理ステップを備えた中継プログラムを備えたことを特徴とするプログラム。
【０１０８】
【発明の効果】
本発明の通信コネクション確立システムによれば、代替情報のみを公開し、通信先特定情報を隠蔽することができ、通信先システムの通信先特定情報を通信元システムに対して隠蔽したまま通信コネクションを確立することができる。
【０１０９】
また、本発明の通信コネクション確立システムによれば、代替情報の暗号化を行ない、その復号鍵情報を照会サーバのＵＲＬとすることができ、代替情報と照会サーバのＵＲＬアドレスの両者が真正で対応し合うものでなければ、代替情報を正しく復号できないこととなるので、悪意のウェブサイトが正規の照会サーバのデータを盗用してコピーし、照会サーバに成りすまことを防止することができる。
【０１１０】
また、本発明の通信コネクション確立システムによれば、中継装置の仲介により、通信先システムから通信元システムへの自動発信によって通信コネクションが確立されるので、通信元システムは、一切、通信先システムの通信先特定情報を知り得る機会がなくなり、通信先システムの通信先特定情報の隠蔽性が高まることとなる。
【０１１１】
また、本発明の通信コネクション確立システムによれば、通信先システムの通信先特定情報が組み込まれた通信コネクション確立ソフトウェアがダウンロードされ、通信元システムの通信コネクション確立ソフトウェア実行環境において自動的に通信先システムへの通信コネクションの確立が行なわれるので、通信元システムの利用者が直接通信先システムの通信先特定情報を知ることはなく、通信先特定情報の隠蔽性が保たれる。
【図面の簡単な説明】
【図１】  本発明の実施形態１の通信コネクション確立システムの概略構成を示す図
【図２】  通信元システム２００と通信先システム３００との間に通信コネクションが確立されるまでの流れ示すフローチャート
【図３】  変換処理部２４０が保持している変換リストの例を示す図
【図４】  本発明の実施形態１の通信コネクション確立システムの他の概略構成例を示す図
【図５】  実施形態２の通信コネクション確立システムの概略構成を示す図
【図６】  実施形態３の通信コネクション確立システムの概略構成を示す図
【図７】  実施形態４の通信コネクション確立システムの概略構成を示す図
【図８】  実施形態４の通信コネクション確立システムの他の概略構成を示す図
【図９】  実施形態５の通信コネクション確立システムの概略構成を示す図
【図１０】  本発明の実施形態６の通信コネクション確立システムを実現する処理プログラムを記録した記録媒体の例を示す図
【符号の説明】
１００，１００ａ〜１００ｆ  通信元システム
１１０  情報公開部
１２０  代替情報通知部
１３０  通信コネクション確立ソフトウェア格納部
１４０  通信コネクション確立ソフトウェア送信部
２００，２００ａ〜２００ｆ  照会サーバ
２２０  情報検索部
２３０  代替情報取得部
２４０，２４０ａ，２４０ｂ  変換処理部
２４１  復号モジュール
２５０  通信制御部
２６０  中継依頼部
２７０  通信コネクション確立ソフトウェア実行環境
３００，３００ａ〜３００ｆ  通信先システム
４００  中継装置
４１０  変換処理部
４２０  中継部
１０００  ネットワーク上にある記録装置内の記録媒体
１００１  可搬型記録媒体
１００２  ＣＤ−ＲＯＭ
１００３  フレキシブルディスク
１００４  コンピュータ
１００５  コンピュータのハードディスクやＲＡＭ等の記録媒体
【図１】
0004503889.tif 000002
【図２】
0004503889.tif 000003
【図３】
0004503889.tif 000004
【図４】
0004503889.tif 000005
【図５】
0004503889.tif 000006
【図６】
0004503889.tif 000007
【図７】
0004503889.tif 000008
【図８】
0004503889.tif 000009
【図９】
0004503889.tif 000010
【図１０】
0004503889.tif 000011